(57)【要約】【課題】太陽光発電システムにおける発電電力、消費電力、売買電力の程度を非数値の画像で表示することにより、発電電力、消費電力、売買電力の程度、環境負荷の程度を利用者に直感的に認識させることができる表示装置を提供する。【解決手段】太陽光で発電し、負荷に接続された商用交流系統と連携して余剰電力の売電及び不足電力の買電を行う太陽光発電システムから送信された発電電力及び売買電力を示す情報を受信する受信部と、第１画像、第２画像及び第３画像をそれぞれ複数記憶する記憶部と、受信した情報が示す発電電力及び売買電力に応じて、記憶部が記憶する各複数の第１画像、第２画像及び第３画像の中から、第１画像、第２画像及び第３画像を各一つ選択する画像選択部と、該画像選択部が選択した第１画像、第２画像及び第３画像を含み、太陽光発電システムの稼働状況を示す画像を表示する画像表示部とを表示装置に備える。【選択図】図６
2014166076.tif 000002
【特許請求の範囲】
【請求項１】
太陽光で発電し、負荷に接続された商用交流系統と連携して余剰電力の売電及び不足電力の買電を行う太陽光発電システムから送信された発電電力及び売買電力を示す情報を受信する受信部と、
第１画像、第２画像及び第３画像をそれぞれ複数記憶する記憶部と、
受信した情報が示す発電電力及び売買電力に応じて、前記記憶部が記憶する各複数の第１画像、第２画像及び第３画像の中から、第１画像、第２画像及び第３画像を各一つ選択する画像選択部と、
該画像選択部が選択した第１画像、第２画像及び第３画像を含み、前記太陽光発電システムの稼働状況を示す画像を表示する画像表示部と
を備える表示装置。
【請求項２】
時計部と、
該時計部が計時している時刻が所定の夜間時間帯にあるか否かを判定する時間帯判定部と、
受信した情報が示す発電電力が所定の電力以上であるか否かを判定する発電量判定部と
を備え、
前記画像選択部は、
該発電量判定部が前記所定の電力以上であると判定した場合、第１の第１画像を選択し、前記所定の電力未満であると判定した場合、第２の第１画像を選択し、前記時間帯判定部が前記所定の夜間時間帯にあると判定した場合、発電電力に拘わらず第３の第１画像を選択する請求項１に記載の表示装置。
【請求項３】
温暖化ガス排出量、化石燃料量又は金銭と、電力量との換算率を記憶しており、
前記受信部が受信した情報に基づいて、発電電力量、前記負荷における消費電力量、売電電力量及び買電電力量、並びに各電力量を温暖化ガス排出量、化石燃料量又は金銭に換算した換算値を算出する算出部と、
該算出部が算出する発電電力量、消費電力量、売電電力量及び買電電力量並びに換算値の中から表示する数値を受け付ける受付部と、
該受付部が受け付けた数値を表示する数値表示部と
を備える請求項１又は請求項２に記載の表示装置。
【請求項４】
太陽光で発電し、負荷に接続された商用交流系統と連携して余剰電力の売電及び不足電力の買電を行う太陽光発電システムから送信された発電電力及び売買電力を示す情報を受信し、
各複数の第１画像、複数の第２画像及び複数の第３画像の中から、受信した情報が示す発電電力及び売買電力に応じて、第１画像、第２画像及び第３画像を各一つ選択し、
選択した第１画像、第２画像及び第３画像を含み、前記太陽光発電システムの稼働状況を示す画像を表示する
表示方法。
【請求項５】
太陽光で発電し、負荷に接続された商用交流系統と連携して余剰電力の売電及び不足電力の買電を行う太陽光発電システムから送信された発電電力及び売買電力を示す情報を受信するコンピュータを、
受信した情報が示す発電電力と、第１の所定電力とを比較する第１比較部、
該第１比較部の比較結果に応じて、複数の第１画像の中から、一の第１画像を選択する第１画像選択部、
受信した情報が示す前記負荷における消費電力と、第２の所定電力とを比較する第２比較部、
該第２比較部の比較結果に応じて、複数の第２画像の中から、一の第２画像を選択する第２画像選択部、
受信した情報が示す売買電力と、第３の所定電力とを比較する第３比較部、
該第３比較部の比較結果に応じて、複数の第３画像の中から、一の第３画像を選択する第３画像選択部、並びに
選択された第１画像、第２画像及び第３画像を含み、前記太陽光発電システムの稼働状況を示す画像を生成する生成部
として機能させるコンピュータプログラム。
【発明の詳細な説明】
【技術分野】
【０００１】
本発明は太陽光発電システムの稼働状況を表示する表示装置、表示方法及びコンピュータプログラムに関する。
【背景技術】
【０００２】
太陽光で発電し、宅内負荷に接続された商用交流系統と連携して余剰電力の売電及び不足電力の買電を行う太陽光発電システムが実用化されている。太陽光発電システムは、システムの稼働状況を監視するための表示装置を備える。表示装置は、現在時刻における発電電力及び消費電力を数値で表示するとともに当日の基準となるカウント開始時刻から現在時刻までの総発電電力量と総消費電力量とをそれぞれ棒グラフで表示する（例えば、特許文献１）。また、表示装置は、現時点が売電時である場合は発電表示アイコンを消費表示アイコンよりも大きく表示し、現時点における発電量と消費量とが均衡している場合は発電表示アイコンと消費表示アイコンを同じ大きさで表示し、且つ、現時点が買電時である場合は消費表示アイコンを発電表示アイコンよりも大きく表示するように制御する。
【先行技術文献】
【特許文献】
【０００３】
【特許文献１】特開２００８−１４１８４３号公報
【発明の概要】
【発明が解決しようとする課題】
【０００４】
しかしながら、特許文献１に記載の表示装置は、発電電力及び消費電力を示す数値又は棒グラフから売電及び買電を連想させるものであり、発電電力、消費電力、売買電力の程度、環境負荷の程度を利用者が直感的に認識することができないという問題があった。例えば、売電が行われていても、利用者は、発電電力が大きいのかどうか、宅内負荷における消費電力は十分に小さいのかどうかを認識することが難しい。もちろん、発電電力、消費電力及び売買電力を数値で定量的に表示することも行われているが、子供などの利用者は「ｋＷ」で表示された電力の程度を認識することが困難である。発電電力、消費電力、売買電力の程度が利用者に認識されなければ、省電の動機付けを利用者に効果的に与えることができない。
【０００５】
本発明は斯かる事情に鑑みてなされたものであり、その目的は、太陽光発電システムにおける発電電力、消費電力、売買電力の程度を非数値の画像で表示することにより、発電電力、消費電力、売買電力の程度、環境負荷の程度を利用者に直感的に認識させることができる表示装置、表示方法及びコンピュータプログラムを提供することにある。
【課題を解決するための手段】
【０００６】
本願発明は、太陽光で発電し、負荷に接続された商用交流系統と連携して余剰電力の売電及び不足電力の買電を行う太陽光発電システムから送信された発電電力及び売買電力を示す情報を受信する受信部と、第１画像、第２画像及び第３画像をそれぞれ複数記憶する記憶部と、受信した情報が示す発電電力及び売買電力に応じて、前記記憶部が記憶する各複数の第１画像、第２画像及び第３画像の中から、第１画像、第２画像及び第３画像を各一つ選択する画像選択部と、該画像選択部が選択した第１画像、第２画像及び第３画像を含み、前記太陽光発電システムの稼働状況を示す画像を表示する画像表示部とを備える表示装置である。
【０００７】
本願発明は、太陽光で発電し、負荷に接続された商用交流系統と連携して余剰電力の売電及び不足電力の買電を行う太陽光発電システムから送信された発電電力及び売買電力を示す情報を受信し、各複数の第１画像、複数の第２画像及び複数の第３画像の中から、受信した情報が示す発電電力及び売買電力に応じて、第１画像、第２画像及び第３画像を各一つ選択し、選択した第１画像、第２画像及び第３画像を含み、前記太陽光発電システムの稼働状況を示す画像を表示する表示方法である。
【０００８】
本願発明は、太陽光で発電し、負荷に接続された商用交流系統と連携して余剰電力の売電及び不足電力の買電を行う太陽光発電システムから送信された発電電力及び売買電力を示す情報を受信するコンピュータを、受信した情報が示す発電電力と、第１の所定電力とを比較する第１比較部、該第１比較部の比較結果に応じて、複数の第１画像の中から、一の第１画像を選択する第１画像選択部、受信した情報が示す消費電力と、第２の所定電力とを比較する第２比較部、該第２比較部の比較結果に応じて、複数の第２画像の中から、一の第２画像を選択する第２画像選択部、受信した情報が示す売買電力と、第３の所定電力とを比較する第３比較部、該第３比較部の比較結果に応じて、複数の第３画像の中から、一の第３画像を選択する第３画像選択部、並びに選択された第１画像、第２画像及び第３画像を含み、前記太陽光発電システムの稼働状況を示す画像を生成する生成部として機能させるコンピュータプログラムである。
【発明の効果】
【０００９】
本発明によれば、太陽光発電システムにおける発電電力、消費電力、売買電力の程度を非数値の画像で表示することにより、発電電力、消費電力、売買電力の程度、環境負荷の程度を利用者に直感的に認識させることができる。
【図面の簡単な説明】
【００１０】
【図１】太陽光発電システムを示す概念図である。
【図２】表示装置の一構成例を示すブロック図である。
【図３】制御部の処理手順を示すフローチャートである。
【図４】稼働状況の表示に係る制御部の処理手順を示すフローチャートである。
【図５】発電画像の選択に係る制御部の処理手順を示すフローチャートである。
【図６】発電画像の一例を示す模式図である。
【図７】負荷画像の選択に係る制御部の処理手順を示すフローチャートである。
【図８】負荷画像の一例を示す模式図である。
【図９】交流系統画像の選択に係る制御部の処理手順を示すフローチャートである。
【図１０】交流系統画像の一例を示す模式図である。
【図１１】環境負荷画像の選択に係る制御部の処理手順を示すフローチャートである。
【図１２】環境負荷画像の一例を示す模式図である。
【図１３】稼働状況画像の一例を示す模式図である。
【発明を実施するための形態】
【００１１】
［本願発明の実施形態の説明］
最初に本願発明の実施形態の内容を列記して説明する。
（１）実施形態に係る表示装置は、太陽光で発電し、負荷に接続された商用交流系統と連携して余剰電力の売電及び不足電力の買電を行う太陽光発電システムから送信された発電電力及び売買電力を示す情報を受信する受信部と、第１画像、第２画像及び第３画像をそれぞれ複数記憶する記憶部と、受信した情報が示す発電電力及び売買電力に応じて、前記記憶部が記憶する各複数の第１画像、第２画像及び第３画像の中から、第１画像、第２画像及び第３画像を各一つ選択する画像選択部と、該画像選択部が選択した第１画像、第２画像及び第３画像を含み、前記太陽光発電システムの稼働状況を示す画像を表示する画像表示部とを備える。
【００１２】
本実施形態にあっては、画像選択部は、発電電力に応じて、複数の第１画像の中から一の第１画像を選択する。選択された第１画像は発電電力の大きさを視覚的に表すものである。同様に、画像選択部は、消費電力に応じて、複数の第２画像の中から一の第２画像を選択する。また画像選択部は、売買電力に応じて、複数の第３画像の中から一の第３画像を選択する。選択された第２画像及び第３画像は、それぞれ消費電力及び売買電力の大小を視覚的に表すものである。画像表示部は、選択された第１画像、第２画像及び第３画像を含み、太陽光発電システムの稼働状況を示す画像を表示する。従って、利用者は、太陽光発電システムにおける発電電力、消費電力及び売買電力の程度を直感的に認識することが可能になる。
なお、太陽光発電システムから送信される情報には、発電電力及び売買電力が含まれているため、負荷における消費電力の情報が実質的に含まれている。消費電力は発電電力及び売買電力に基づいて算出することが可能である。また、太陽光発電システムから送信される情報に消費電力の情報を、発電電力及び売買電力に含ませても良いことは言うまでも無い。
【００１３】
（２）実施形態に係る表示装置は、時計部と、該時計部が計時している時刻が所定の夜間時間帯にあるか否かを判定する時間帯判定部と、受信した情報が示す発電電力が所定の電力以上であるか否かを判定する発電量判定部とを備え、前記画像選択部は、該発電量判定部が前記所定の電力以上であると判定した場合、第１の第１画像を選択し、前記所定の電力未満であると判定した場合、第２の第１画像を選択し、前記時間帯判定部が前記所定の夜間時間帯にあると判定した場合、発電電力に拘わらず第３の第１画像を選択する。
【００１４】
本実施形態にあっては、太陽光発電の大小を第１及び第２の第１画像で表示することができる。また現在の時刻が所定の夜間時間帯である場合、発電電力に拘わらず第３の第１画像を表示する。時間帯に応じて表示する画像を変更しなかった場合、発電電力が小さくなるため、第２の第１画像が表示されることになるが、該第２の第１画像は昼間の日照量が少ないために発電電力が小さい状態にあることを示すものであり、第２の第１画像が夜間時間帯においても表示されていると利用者が違和感を覚えるおそれがあり、故障と誤認されるおそれもある。そこで、本実施形態では、現時刻が夜間時間帯である場合、発電量の大小を示す第１及び第２の第１画像とは異なる第３の第１画像を表示する。
このように構成することで、利用者は違和感なく太陽光発電による発電電力及び発電状況を視覚的及び直感的に把握することが可能になる。
【００１５】
（３）実施形態に係る表示装置は、温暖化ガス排出量、化石燃料量又は金銭と、電力量との換算率を記憶しており、前記受信部が受信した情報に基づいて、発電電力量、前記負荷における消費電力量、売電電力量及び買電電力量、並びに各電力量を温暖化ガス排出量、化石燃料量又は金銭に換算した換算値を算出する算出部と、該算出部が算出する発電電力量、消費電力量、売電電力量及び買電電力量並びに換算値の中から表示する数値を受け付ける受付部と、該受付部が受け付けた数値を表示する数値表示部とを備える。
【００１６】
本実施形態にあっては、発電電力量、消費電力量、売電電力量及び買電電力量の数値を選択的に表示することが可能である。また、発電電力量、消費電力量、売電電力量及び買電電力量の数値を、温暖化ガス排出量、化石燃料量又は金銭に換算した換算値で表示することが可能である。従って、多岐にわたる利用者の関心に応え、所望の電力情報を所望の態様で表示することができる。
【００１７】
（４）実施形態に係る表示方法は、太陽光で発電し、負荷に接続された商用交流系統と連携して余剰電力の売電及び不足電力の買電を行う太陽光発電システムから送信された発電電力及び売買電力を示す情報を受信し、各複数の第１画像、複数の第２画像及び複数の第３画像の中から、受信した情報が示す発電電力及び売買電力に応じて、第１画像、第２画像及び第３画像を各一つ選択し、選択した第１画像、第２画像及び第３画像を含み、前記太陽光発電システムの稼働状況を示す画像を表示する。
（５）実施形態に係るコンピュータプログラムは、太陽光で発電し、負荷に接続された商用交流系統と連携して余剰電力の売電及び不足電力の買電を行う太陽光発電システムから送信された発電電力及び売買電力を示す情報を受信するコンピュータを、受信した情報が示す発電電力と、第１の所定電力とを比較する第１比較部、該第１比較部の比較結果に応じて、複数の第１画像の中から、一の第１画像を選択する第１画像選択部、受信した情報が示す前記負荷における消費電力と、第２の所定電力とを比較する第２比較部、該第２比較部の比較結果に応じて、複数の第２画像の中から、一の第２画像を選択する第２画像選択部、受信した情報が示す売買電力と、第３の所定電力とを比較する第３比較部、該第３比較部の比較結果に応じて、複数の第３画像の中から、一の第３画像を選択する第３画像選択部、並びに選択された第１画像、第２画像及び第３画像を含み、前記太陽光発電システムの稼働状況を示す画像を生成する生成部として機能させる。
本実施形態にあっては、上述の表示装置と同様の作用を奏する。
【００１８】
［本願発明の実施形態の詳細］
以下、本発明をその実施形態を示す図面に基づいて詳述する。
図１は太陽光発電システム１を示す概念図である。太陽光発電システム１は、太陽光発電パネル１１を備え、宅内負荷３に接続された商用交流系統２と連携して余剰電力の売電及び不足電力の買電を行うシステムである。太陽光発電パネル１１は、直列接続された複数の太陽電池モジュールからなるストリングを複数有する。複数のストリングは接続箱１２に並列的に接続され、太陽光発電パネル１１で発電した直流電力が接続箱１２に入力する。
【００１９】
接続箱１２は太陽光発電パネル１１の各ストリングから出力された直流電力を集約し、集約された直流電力をパワーコンディショナ１３へ出力する。
【００２０】
パワーコンディショナ１３は接続箱１２から出力された直流電力を、２００Ｖの交流電力に変換し、変換した交流電力を分電盤１４へ出力する。またパワーコンディショナ１３は、分電盤１４へ出力する交流電力を計測しており、計測して得た交流電力を示す情報を計測部１５へ送信する。
【００２１】
分電盤１４には、電力量計１６を介して商用交流系統２が接続されている。また、分電盤１４には照明器具、空調機、オーディオ機器等の宅内負荷３が接続されており、パワーコンディショナ１３から出力された交流電力が宅内負荷３に供給されるように構成されている。パワーコンディショナ１３から出力される交流電力が、宅内負荷３における消費電力量を超えている場合、余剰電力が電力量計１６を経由して商用交流系統２に供給される。つまり余剰電力の売電が行われる。パワーコンディショナ１３から出力される交流電力が、宅内負荷３における消費電力量未満である場合、商用交流系統２から電力量計１６及び分電盤１４を経由して不足電力が宅内負荷３に供給される。つまり不足電力の買電が行われる。
【００２２】
また、分電盤１４には計測部１５が設けられている。計測部１５は商用交流系統２から分電盤１４に入出力する交流電力を計測する。計測部１５は、例えば、カレントトランス等の電流計、及び電圧計を備えており、該電流計及び電圧計が検出した電流及び電圧に基づいて、商用交流系統２から分電盤１４に入出力する交流電力を算出する。また、パワーコンディショナ１３から送信された交流電力の情報を受信する。そして、計測部１５は、受信した情報が示す交流電力から、分電盤１４に入出力する交流電力を減算することによって、宅内負荷３へ供給される交流電力を算出する。なお、ここでは分電盤１４から商用交流系統２へ出力する交流電力を正の値、商用交流系統２から分電盤１４に入力する交流電力を負の値としている。以下、パワーコンディショナ１３から供給される交流電力を発電電力、宅内負荷３へ供給される交流電力を消費電力、商用交流系統２から分電盤１４に入出力する交流電力を売買電力と言う。また、特に商用交流系統２に供給される余剰電力を売電電力、商用交流系統２から分電盤１４を介して宅内負荷３へ供給される電力を買電電力という。なお、計測部１５における消費電力の算出は必須では無く、表示装置４側で行っても良い。
また、計測部１５は、時計及び記憶部を備えており、発電電力、消費電力及び売買電力を示す情報を、各電力を計測ないし算出した年月日及び時刻と共に前記記憶部に記憶させる。また、計測部１５には、発電電力、消費電力及び売買電力を示す情報並びに年月日及び時刻を無線又は有線で表示装置４へ送信する送信機が設けられている。なお、消費電力の記憶及び送信は必須では無い。更に、計測部１５は、パワーコンディショナ１３の異常の有無、計測部１５の異常の有無、停電の有無を示す情報を収集し、収集した各種情報を表示装置４へ送信する機能を有する。以下、前記情報を無線で送信する場合を例にして説明する。
【００２３】
図２は表示装置４の一構成例を示すブロック図である。表示装置４は、例えば、該表示装置４の各構成部の動作を制御するＣＰＵ（Central Processing Unit）等の制御部４１を備えたコンピュータである。具体的には、表示装置４は、例えばスマートフォン、タブレット端末、携帯型のコンピュータ、携帯型のゲーム機、携帯電話機等である。制御部４１には、バスを介して、ＲＯＭ４２、ＲＡＭ４３、通信部４４、記憶部４５、時計部４６、表示部４７及び操作部４８が接続されている。
【００２４】
ＲＯＭ４２は、ＥＥＰＲＯＭ（Electrically Erasable Programmable ROM）等の不揮発性メモリであり、コンピュータの初期動作に必要な制御プログラムを記憶している。
【００２５】
ＲＡＭ４３は、ＤＲＡＭ（Dynamic RAM）、ＳＲＡＭ（Static RAM）等のメモリであり、制御部４１の演算処理を実行する際にＲＯＭ４２及び記憶部４５から読み出された制御プログラム及び後述のコンピュータプログラム５ａ、又は制御部４１の演算処理によって生ずる各種データを一時記憶する。
【００２６】
通信部４４は、太陽光発電システム１から送信された情報を受信するためのインタフェースであり、通信部４４による各種情報の受信は制御部４１によって制御される。
【００２７】
記憶部４５は、ハードディスクドライブ、ソリッドステートドライブ等の読み出しが可能なディスクドライブ、及び可搬式の記録媒体５からデータの読み出しが可能なＣＤ−ＲＯＭドライブ等の装置である。記憶部４５は、域内で消費される電力を分析するためのコンピュータプログラム５ａを記憶している。コンピュータプログラム５ａは、コンピュータ読み取り可能に記録された可搬式メディアであるＣＤ（Compact Disc）−ＲＯＭ、ＤＶＤ（Digital Versatile Disc）−ＲＯＭ、ＢＤ（Blu-ray Disc）等の記録媒体５を介すなどしてハードディスクドライブ、ソリッドステートドライブ等に記録されている。なお、光ディスクは、記録媒体５の一例であり、フレキシブルディスク、磁気光ディスク、外付けハードディスク、半導体メモリ等にコンピュータプログラム５ａをコンピュータ読み取り可能に記録しても良い。また、通信網Ｎに接続されている図示しない外部コンピュータから本実施形態に係るコンピュータプログラム５ａをダウンロードするようにしても良い。
また、記憶部４５は、太陽光発電の状況を表す複数の発電画像、宅内負荷３における電力消費状況を表す複数の負荷画像、商用交流系統２との電力の売買状況を表す複数の交流系統画像、環境負荷の程度を表す複数の環境負荷画像を記憶する。
制御部４１は、コンピュータプログラム５ａが記録された記録媒体５又は記憶部４５から、コンピュータプログラム５ａをＲＡＭ４３に読み出し、実行することにより、コンピュータを表示装置４として機能させる。
【００２８】
時計部４６は、年月日及び時刻を計時しており、制御部４１は該時計部４６から現在の年月日及び時刻などの時間情報を取得することができる。
【００２９】
表示部４７は、液晶ディスプレイ、有機ＥＬディスプレイ、電子ペーパ等の表示装置４である。
【００３０】
操作部４８は、表示部４７に対する指の接触による静電容量又は電気容量の変化によって、指の接触位置を検出するタッチセンサである。なお、タッチセンサは操作部４８の一例であり、マウス、タッチペン等のポインティングデバイス、各種キーであっても良い。
【００３１】
図３は制御部４１の処理手順を示すフローチャートである。制御部４１は、操作部４８の操作状態を監視しており、表示装置４の設定操作が行われたか否かを判定する（ステップＳ１）。設定操作が行われたと判定した場合（ステップＳ１：ＹＥＳ）、制御部４１は、設定の受け付けを行う（ステップＳ２）。ユーザは表示装置４の操作部４８を操作することによって、表示部４７に表示する数値情報の内容を設定することができる。例えば、制御部４１は、表示部４７に表示する数値情報として、発電電力量、消費電力量、売電電力量及び買電電力量並びに各電力量の換算値の中から表示する数値を操作部４８にて受け付ける。換算値としては、例えば、電力量に対応する温暖化ガス排出量、化石燃料量又は金銭等が挙げられる。また、制御部４１は、温暖化ガス排出量、化石燃料量又は金銭と、電力量との換算率を操作部４８にて受け付け、受け付けた換算率を記憶部４５に記憶させる。もちろん代表的な換算率を予め記憶部４５に記憶させておいても良い。更に、制御部４１は、太陽光発電システム１の最大発電電力、及び宅内負荷３における最大消費電力を操作部４８にて受け付け、受け付けた最大発電電力及び最大消費電力を記憶部４５に記憶させる。
【００３２】
ステップＳ２の処理を終えた場合、又は設定操作が行われていないと判定した場合（ステップＳ１：ＮＯ）、制御部４１は、稼働状況の表示に係るモニタ表示の処理を実行する（ステップＳ３）。以下、ステップＳ１〜Ｓ３の処理を繰り返し実行する。
【００３３】
図４は稼働状況の表示に係る制御部４１の処理手順を示すフローチャートである。まず、制御部４１は、太陽光発電システム１の計測部１５から送信された電力情報を通信部４４にて受信する（ステップＳ１１）。電力情報は発電電力及び売買電力並びに年月日及び時刻を示す情報を含む。宅内負荷３における消費電力は、発電電力及び売買電力に基づいて算出することができる。また、計測部１５側で算出された消費電力を受信するようにしても良い。また、電力情報は、パワーコンディショナ１３の異常の有無、計測部１５の異常の有無、停電の有無を示す情報を含む。そして、制御部４１は受信した発電電力、消費電力及び売買電力並びに年月日及び時刻を示す情報を記憶部４５に記憶させる（ステップＳ１２）。
【００３４】
次いで、制御部４１はステップＳ１１で受信した情報が示す発電電力に応じて、記憶部４５が記憶する複数の発電画像の中から、発電画像を一つ選択する（ステップＳ１３）。
【００３５】
図５は発電画像の選択に係る制御部４１の処理手順を示すフローチャート、図６は発電画像の一例を示す模式図である。制御部４１は、ステップＳ１１で受信した情報に基づいて、パワーコンディショナ１３に異常があるか否かを判定する（ステップＳ３１）。パワーコンディショナ１３に異常があると判定した場合（ステップＳ３１：ＹＥＳ）、制御部４１はパワーコンディショナ１３の異常を表す第４発電画像を選択し（ステップＳ３２）、発電画像の選択に係る処理を終える。第４発電画像は例えば図６Ｄに示すようなエクスクラメーションマーク「！」を含む太陽を模した画像である。
【００３６】
パワーコンディショナ１３に異常が無いと判定した場合（ステップＳ３１：ＮＯ）、制御部４１は、時計部４６が計時している現在の時刻が所定の夜間時間帯であるか否かを判定する（ステップＳ３３）。夜間時間帯は例えば１９：００〜６：００であり、該夜間時間帯の情報は記憶部４５が記憶している。なお、夜間時間帯は固定値であっても良いし、月日によって長さが異なる夜間時間帯を記憶部４５に記憶させても良い。
【００３７】
現在の時刻が夜間時間帯であると判定した場合（ステップＳ３３：ＹＥＳ）、制御部４１は第３発電画像を選択し（ステップＳ３４）、発電画像の選択に係る処理を終える。第３発電画像は例えば図６Ｃに示すような夜空及び月を模した画像である。
【００３８】
現在の時刻が夜間時間帯で無いと判定した場合（ステップＳ３３：ＮＯ）、制御部４１は発電電力が所定電力の０．５ＱｋＷ以上であるか否かを判定する（ステップＳ３５）。ここで、Ｑは太陽光発電システム１が発電可能な最大発電電力である。なお、発電電力と比較する所定電力０．５ＱｋＷは一例であり、太陽光発電の発電状況を評価できる数値であれば、特にこれに限定されない。
【００３９】
発電電力が０．５ＱｋＷ以上であると判定した場合（ステップＳ３５：ＹＥＳ）、制御部４１は発電電力が多いことを表す第１発電画像を選択し（ステップＳ３６）、発電画像の選択に係る処理を終える。第１発電画像は例えば図６Ａに示すような太陽を模した画像である。
発電電力が０．５ＱｋＷ未満であると判定した場合（ステップＳ３５：ＮＯ）、制御部４１は第２発電画像を選択し（ステップＳ３７）、発電画像の選択に係る処理を終える。第２発電画像は例えば図６Ｂに示すような一部が雲に隠れた太陽を模した画像である。
【００４０】
図４に示すように、発電画像の選択を終えた制御部４１は、ステップＳ１１で受信した情報が示す消費電力に応じて、記憶部４５が記憶する複数の負荷画像の中から、負荷画像を一つ選択する（ステップＳ１４）。消費電力は、ステップＳ１１で受信した情報が示す発電電力及び売買電力に基づいて算出することができる。
【００４１】
図７は負荷画像の選択に係る制御部４１の処理手順を示すフローチャート、図８は負荷画像の一例を示す模式図である。制御部４１は、ステップＳ１１で受信した情報に基づいて、計測部１５に異常があるか否かを判定する（ステップＳ５１）。計測部１５に異常があると判定した場合（ステップＳ５１：ＹＥＳ）、制御部４１は計測部１５の異常を表す第４負荷画像を選択し（ステップＳ５２）、負荷画像の選択に係る処理を終える。第４負荷画像は例えば図８Ｄに示すようなエクスクラメーションマーク「！」を含む家を模した画像である。
【００４２】
計測部１５に異常が無いと判定した場合（ステップＳ５１：ＮＯ）、制御部４１は、消費電力が所定電力の０．１５ＰｋＷ未満であるか否かを判定する（ステップＳ５３）。ここで、Ｐは宅内負荷３の最大消費電力である。なお、消費電力と比較する所定電力０．１５ＰｋＷは一例であり、宅内負荷３における消費電力を評価できる数値であれば、特にこれに限定されない。消費電力が０．１５ＰｋＷ未満であると判定した場合（ステップＳ５３：ＹＥＳ）、制御部４１は消費電力が少ないことを表す第１負荷画像を選択し（ステップＳ５４）、負荷画像の選択に係る処理を終える。第１負荷画像は例えば図８Ａに示すような擬人化された笑顔の家を模した画像である。
【００４３】
消費電力が０．１５ＰｋＷ以上であると判定した場合（ステップＳ５３：ＮＯ）、制御部４１は消費電力が所定電力の０．５ＰｋＷ以上であるか否かを判定する（ステップＳ５５）。なお、消費電力と比較する所定電力０．５ＰｋＷは一例であり、宅内負荷３における消費電力を評価できる数値であれば、特にこれに限定されない。０．５ＰｋＷ未満であると判定した場合（ステップＳ５５：ＮＯ）、制御部４１は消費電力が中程度であることを表す第２負荷画像を選択し（ステップＳ５７）、負荷画像の選択に係る処理を終える。第２負荷画像は例えば図８Ｂに示すような擬人化された真顔の家を模した画像である。
【００４４】
０．５ＰｋＷ以上であると判定した場合（ステップＳ５５：ＹＥＳ）、制御部４１は消費電力が多いことを表す第３負荷画像を選択し（ステップＳ５６）、負荷画像の選択に係る処理を終える。第３負荷画像は例えば図８Ｃに示すような擬人化された不満顔の家を模した画像である。
【００４５】
図４に示すように、負荷画像の選択を終えた制御部４１は、ステップＳ１１で受信した情報が示す売買電力に応じて、記憶部４５が記憶する複数の交流系統画像の中から、系統交流画像を一つ選択する（ステップＳ１５）。
【００４６】
図９は交流系統画像の選択に係る制御部４１の処理手順を示すフローチャート、図１０は交流系統画像の一例を示す模式図である。制御部４１は、ステップＳ１１で受信した情報に基づいて、停電が生じ、太陽光発電システム１が自立運転状態にあるか否かを判定する（ステップＳ７１）。自立運転状態にあると判定した場合（ステップＳ７１：ＹＥＳ）、制御部４１は停電が発生していることを表す第４交流系統画像を選択し（ステップＳ７２）、交流系統画像の選択に係る処理を終える。第４交流系統画像は例えば図１０Ｄに示すようなエクスクラメーションマーク「！」を含む発電所を模した画像である。
【００４７】
自立運転状態に無いと判定した場合（ステップＳ７１：ＮＯ）、制御部４１は、売電電力が所定電力の０ｋＷ超であるか否かを判定する（ステップＳ７３）。売電電力が０ｋＷ超であると判定した場合（ステップＳ７３：ＹＥＳ）、制御部４１は余剰電力の売電が行われていることを表す第１交流系統画像を選択し（ステップＳ７４）、交流系統画像の選択に係る処理を終える。第１交流系統画像は例えば図１０Ａに示すような擬人化された笑顔の発電所を模した画像である。
【００４８】
売電電力が０ｋＷ以下であると判定した場合（ステップＳ７３：ＮＯ）、制御部４１は買電電力が所定電力の０．５ＰｋＷ以上であるか否かを判定する（ステップＳ７５）。なお、買電電力と比較する所定電力０．５ＰｋＷは一例であり、買電電力の多少を評価できる数値であれば、特にこれに限定されない。０．５ＰｋＷ未満であると判定した場合（ステップＳ７５：ＮＯ）、制御部４１は買電電力が中程度であることを表す第２交流系統画像を選択し（ステップＳ７７）、交流系統画像の選択に係る処理を終える。第２交流系統画像は例えば図１０Ｂに示すような擬人化された真顔の発電所を模した画像である。
【００４９】
０．５ＰｋＷ以上であると判定した場合（ステップＳ７５：ＹＥＳ）、制御部４１は買電電力が多いことを示す第３交流系統画像を選択し（ステップＳ７６）、交流系統画像の選択に係る処理を終える。第３交流系統画像は例えば図１０Ｃに示すような擬人化された不満顔の発電所を模した画像である。
【００５０】
図４に示すように、交流系統画像の選択を終えた制御部４１は、ステップＳ１１で受信した情報が示す売電電力及び消費電力に応じて、記憶部４５が記憶する複数の環境負荷画像の中から、環境負荷画像を一つ選択する（ステップＳ１６）。
【００５１】
図１１は環境負荷画像の選択に係る制御部４１の処理手順を示すフローチャート、図１２は環境負荷画像の一例を示す模式図である。制御部４１は、ステップＳ１１で受信した情報が示す売電電力が０ｋＷ超であるか否かを判定する（ステップＳ９１）。売電電力が０ｋＷ以下であると判定した場合（ステップＳ９１：ＮＯ）、制御部４１は環境負荷が中程度から大きいことを示す第２環境負荷画像を選択し（ステップＳ９４）、環境負荷画像の選択に係る処理を終える。第２環境負荷画像は、図１２Ｂに示すように「ｅｃｏ」の文字を含む非緑色の葉を模した画像である。
【００５２】
売電電力が０ｋＷ超であると判定した場合（ステップＳ９１：ＹＥＳ）、制御部４１は消費電力が所定電力の０．１５ＰｋＷ未満であるか否かを判定する（ステップＳ９２）。なお、０．１５ＰｋＷは所定電力の一例である。消費電力が０．１５ＰｋＷ未満であると判定した場合（ステップＳ９２：ＹＥＳ）、制御部４１は環境負荷が小さいことを示す第１環境負荷画像を選択し（ステップＳ９３）、環境負荷画像の選択に係る処理を終える。第１環境負荷画像は、図１２Ａに示すように「ｅｃｏ」の文字を含む緑色の葉を模した画像である。消費電力が０．１５ＰｋＷ以上であると判定した場合（ステップＳ９２：ＮＯ）、制御部４１は環境負荷が中程度から大きいことを示す第２環境負荷画像を選択し（ステップＳ９４）、環境負荷画像の選択に係る処理を終える。
【００５３】
図４に示すように、環境負荷画像の選択を終えた制御部４１は、記憶部４５が記憶する情報に基づいて、一日の発電電力量、消費電力量、売電電力量、買電電力量等の電力量、及び各電力量の換算値を算出する（ステップＳ１７）。なおここでは、少なくとも表示部４７に表示することを所望する数値としてユーザから受け付けた電力量及び換算値を算出すれば足りる。換算値は、記憶部４５が記憶する換算率を電力量の乗算又は除算することよって、該電力量を、温暖化ガス排出量、化石燃料量又は金銭に換算することができる。なお、ここでは表示装置４の制御部４１が積算値を算出する例を説明したが、計測部１５にて積算値を算出して送信し、計測部１５から送信された積算値を表示装置４が受信するように構成しても良い。
【００５４】
次いで、制御部４１はステップＳ１３〜ステップＳ１６で選択された発電画像、負荷画像、交流系統画像、環境負荷画像と、ステップＳ１７で算出された電力値及び換算値とを含み、太陽光発電システム１の稼働状況を示す稼働状況画像を生成する（ステップＳ１８）。そして、制御部４１は生成した稼働状況画像を表示部４７に表示させ（ステップＳ１９）、処理を終える。制御部４１は上述した処理を常時繰り返し実行することによって、太陽光発電システム１の発電状況、電力消費状況、電力の売買状況をリアルタイムで表示部４７に表示することができる。
【００５５】
図１３は稼働状況画像の一例を示す模式図である。稼働状況画像は、適宜箇所にステップＳ１６で選択された環境負荷画像６１ｄを含む。環境負荷画像６１ｄの上部にはステップＳ１３で選択された発電画像６１ａが表示される。環境負荷画像６１ｄの右斜め下方にはステップＳ１４で選択された負荷画像６１ｂが表示され、環境負荷画像６１ｄの左斜め下方にはステップＳ１５で選択された交流系統画像６１ｃが表示される。
また、発電画像６１ａと、負荷画像６１ｂ及び交流系統画像６１ｃとの間は弧状の矢印画像６２ａ，６２ｂがそれぞれ表示される。矢印の向きは電力の流れを示しており、発電画像６１ａから負荷画像６１ｂ及び交流系統画像６１ｃへ向いている。太陽光発電が行われ、太陽光発電で得られた電力を宅内負荷３が消費している場合、発電画像６１ａから負荷画像６１ｂへ向かう有色の矢印画像６２ａが表示される。有色の矢印画像６２ａは、例えば矢印方向へ移動しているような視覚効果を有する点滅画像である。太陽光発電が行われていない場合、発電画像６１ａから負荷画像６１ｂへ向かう無色の矢印画像６２ａが表示される。太陽光発電で得られた余剰電力がある場合、発電画像６１ａから交流系統画像６１ｃへ向かう有色の矢印画像６２ｂが表示される。太陽光発電が行われていない場合、又は余剰電力が無い場合、発電画像６１ａから交流系統画像６１ｃへ向かう無色の矢印画像６２ｂが表示される。更に、交流系統画像６１ｃと、負荷画像６１ｂとの間は弧状の矢印画像６２ｃが表示される。矢印の向きは電力の流れを示しており、交流系統画像６１ｃから負荷画像６１ｂへ向いている。電力を商用交流系統２から買電している場合、交流系統画像６１ｃから負荷画像６１ｂへ向かう有色の矢印画像６２ｃが表示される。買電が行われていない場合、無色の矢印画像６２ｃが表示される。
【００５６】
更に、発電画像６１ａの近傍には発電電力の数値画像６３ｄが表示される。同様にして、発電画像６１ａから交流系統画像６１ｃへ向かう矢印画像６２ｂの近傍には売電電力の数値画像６３ｂが表示され、発電画像６１ａから負荷画像６１ｂへ向かう矢印画像６２ａの近傍には太陽光発電システム１から宅内負荷３へ供給され、消費された電力を示す数値画像６３ａが表示される。交流系統画像６１ｃから負荷画像６１ｂへ向かう矢印画像６２ｃの近傍には買電電力の数値画像６３ｃが表示される。
【００５７】
更にまた、稼働状況画像の適宜箇所、例えば右側部分にはステップＳ１７で算出された電力量及び換算値の数値画像６４が表示される。なお、電力量は、上述したように発電電力、売買電力等を積算することによって得られる。
【００５８】
このように構成された表示装置４、表示方法及びコンピュータプログラムによれば、太陽光発電システム１における発電電力、消費電力、売買電力の程度を、太陽を模した発電画像、家を模した負荷画像及び発電所を模した交流系統画像のアニメーション変化で表すことにより、発電電力、消費電力、売買電力の程度、環境負荷の程度を利用者に直感的に認識させることができる。発電電力、消費電力、売買電力の程度を利用者に認識させることにより、省電の動機付けを与えることが可能になる。
【００５９】
また、昼間の発電電力の大小を、第１及び第２発電画像で表すと共に、夜間時間帯にあることを夜空及び月を模した第３発電画像で表すことにより、発電電力の大小及び太陽光発電の状況を違和感無く利用者に認識させることができる。
【００６０】
更にまた、稼働状況画像に常時表示させる数値情報を選択できるようにすることで、多岐にわたる利用者の関心にも応えることができる。例えば一日の総発電電力量、売買電力量を選択し［ｋＷｈ］や［￥］で表示することにより、単に発電電力量や消費電力量よりも収益に関心のある利用者に対しても、効果的に収益の大小を知らせることができる。
【００６１】
今回開示された実施形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【００６２】
１  太陽光発電システム
２  商用交流系統
３  宅内負荷
４  表示装置
５  記録媒体
５ａ  コンピュータプログラム
１１  太陽光発電パネル
１２  接続箱
１３  パワーコンディショナ
１４  分電盤
１５  計測部
１６  電力量計
４１  制御部
４２  ＲＯＭ
４３  ＲＡＭ
４４  通信部
４５  記憶部
４６  時計部
４７  表示部
４８  操作部
【図１】
2014166076.tif 000003
【図２】
2014166076.tif 000004
【図３】
2014166076.tif 000005
【図４】
2014166076.tif 000006
【図５】
2014166076.tif 000007
【図６】
2014166076.tif 000008
【図７】
2014166076.tif 000009
【図８】
2014166076.tif 000010
【図９】
2014166076.tif 000011
【図１０】
2014166076.tif 000012
【図１１】
2014166076.tif 000013
【図１２】
2014166076.tif 000014
【図１３】
2014166076.tif 000015